(57)【特許請求の範囲】
【請求項１】
買物客の操作により買上げ商品の販売登録処理及びその代金の精算処理を行うセルフチェックアウト装置において、
入金された現金の受入金額から売上商品の請求金額を差し引いた釣銭を紙幣出金口又は硬貨出金口へ出金する釣銭出金部と、
前記買物客の視線を検出する視線検出部と、
前記視線検出部によって検出された視線が前記紙幣出金口又は硬貨出金口に向いていない場合、釣銭があることを示す情報を所定の表示器に表示する表示制御部と、
前記釣銭出金部によって出金された釣銭が前記紙幣出金口又は硬貨出金口から取り除かれたか否かを検出する釣銭検出部と、
前記釣銭検出部によって釣銭が取り除かれたことが検出されなかった場合、前記視線検出部によって検出された視線が前記紙幣出金口又は硬貨出金口に向いていれば、前記釣銭を出金してから第１の時間経過後に、前記釣銭の取り忘れを示す警報音を出力し、一方、前記視線検出部によって検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力する警報部と、
を備えることを特徴とするセルフチェックアウト装置。
【請求項２】
前記表示制御部は、前記視線検出部によって検出された視線の方向に設置された表示器に表示する、ことを特徴とする請求項１に記載のセルフチェックアウト装置。
【請求項３】
前記表示器は、複数個設けられている、ことを特徴とする請求項１又は２に記載のセルフチェックアウト装置。
【請求項４】
買物客の操作により買上げ商品の販売登録処理及びその代金の精算処理を行うセルフチェックアウト装置において実行されるセルフチェックアウト方法であって、
入金された現金の受入金額から売上商品の請求金額を差し引いた釣銭を紙幣出金口又は硬貨出金口へ出金し、
前記買物客の視線を検出し、
前記検出された視線が、前記紙幣出金口又は硬貨出金口に向いていない場合、釣銭があることを示す情報を所定の表示器に表示し、
前記出金された釣銭が前記紙幣出金口又は硬貨出金口から取り除かれたか否かを検出し、
前記釣銭が取り除かれたことが検出されなかった場合、前記検出された視線が前記紙幣出金口又は硬貨出金口に向いていれば、前記釣銭を出金してから第１の時間経過後に、前記釣銭の取り忘れを示す警報音を出力し、一方、前記検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力する、
ことを特徴とするセルフチェックアウト方法。
【請求項５】
買物客の操作により買上げ商品の販売登録処理及びその代金の精算処理を行うセルフチェックアウト装置におけるセルフチェックアウトプログラムであって、
前記セルフチェックアウト装置のコンピュータを、
入金された現金の受入金額から売上商品の請求金額を差し引いた釣銭を紙幣出金口又は硬貨出金口へ出金する釣銭出金手段と、
前記買物客の視線を検出する視線検出手段と、
前記視線検出手段によって検出された視線が、前記紙幣出金口又は硬貨出金口に向いていない場合、釣銭があることを示す情報を所定の表示器に表示する表示制御手段と、
前記釣銭出金手段によって出金された釣銭が前記紙幣出金口又は硬貨出金口から取り除かれたか否かを検出する釣銭検出手段と、
前記釣銭検出部によって釣銭が取り除かれたことが検出されなかった場合、前記視線検出手段によって検出された視線が前記紙幣出金口又は硬貨出金口に向いていれば、前記釣銭を出金してから第１の時間経過後に、前記釣銭の取り忘れを示す警報音を出力し、一方、前記視線検出手段によって検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力する警報手段と、
して機能させるためのセルフチェックアウトプログラム。
【発明の詳細な説明】
【技術分野】
【０００１】
本発明は、購入予定商品の販売登録および登録した商品の会計処理を、買物客自身が行うためのセルフチェックアウト装置、セルフチェックアウト方法、およびセルフチェックアウトプログラムに関する。
【背景技術】
【０００２】
従来、スーパーマーケット、コンビニエンスストア、ガソリンスタンド等の商品販売の現場では、セルフチェックアウト装置（セルフＰＯＳ（Point Of Sales）装置、セルフレジ装置）が増加している。セルフチェックアウト装置では、専任のレジ担当者が行っていた購入予定商品の販売登録および登録した商品の会計処理を買物客自身が行う。これにより、レジ業務を少ない人員で行うことができ、店舗の省力化、レジ待ち行列の待ち時間短縮に貢献している。
【０００３】
例えば、セルフチェックアウト装置を利用する場合、買物客自身は、商品に付されたバーコードをバーコードリーダでスキャンすることによって商品の販売登録を行う。そして、全ての商品の販売登録後、現金の投入又はクレジットカード等を挿入する。これにより精算処理が行われて、セルフチェックアウト装置から釣銭、使用したクレジットカードおよびレシートが排出され、買物客がこれらを受け取って取引が終了する。ところが、このようなセルフチェックアウト装置の操作に不慣れな買物客は、釣銭、クレジットカードまたはレシートを取り忘れてしまうことがある。
【０００４】
そこで、釣銭を出金後、一定時間経過後に釣銭の取り忘れがあった場合、警告音等により釣銭の取り忘れがあったことを通知するセルフチェックアウト装置が開発されている。一定時間経過後に通知を行っているのは、釣銭の出金後直ちに通知を行うと、釣銭を取り忘れていない買物客に対して不快な通知を行うことになるためである。
【０００５】
また、出金された釣銭が取り除かれたことが検出されるまで、レシートの排出動作開始を待機させ、釣銭が取り除かれたことが検出されると、レシート排出動作を開始させるセルフチェックアウト装置が開示されている（例えば、特許文献１参照。）。
【先行技術文献】
【特許文献】
【０００６】
【特許文献１】特開２０１０−２３７９１０号公報
【発明の概要】
【発明が解決しようとする課題】
【０００７】
しかしながら、釣銭の出金後、一定時間後に釣銭取り忘れの通知を行っても、または、釣銭の取り除き後にレシートの排出を行っても、買物客が急いでその場を離れた場合には、警告音に気づかず、釣銭の取り忘れが発生してしまう、という問題がある。
【０００８】
本発明は、上述のような実状に鑑みたものであり、より確実に釣銭の取り忘れを防止することが可能なセルフチェックアウト装置、セルフチェックアウト方法、およびセルフチェックアウトプログラムを提供することを目的とする。
【課題を解決するための手段】
【０００９】
本発明は、上記課題を解決するため、下記のような構成を採用した。
すなわち、本発明の一態様によれば、本発明のセルフチェックアウト装置は、買物客の操作により買上げ商品の販売登録処理及びその代金の精算処理を行うセルフチェックアウト装置において、入金された現金の受入金額から売上商品の請求金額を差し引いた釣銭を紙幣出金口又は硬貨出金口へ出金する釣銭出金部と、前記買物客の視線を検出する視線検出部と、前記視線検出部によって検出された視線が前記紙幣出金口又は硬貨出金口に向いていない場合、釣銭があることを示す情報を所定の表示器に表示する表示制御部と、前記釣銭出金部によって出金された釣銭が前記紙幣出金口又は硬貨出金口から取り除かれたか否かを検出する釣銭検出部と、前記釣銭検出部によって釣銭が取り除かれたことが検出されなかった場合、前記視線検出部によって検出された視線が前記紙幣出金口又は硬貨出金口に向いていれば、前記釣銭を出金してから第１の時間経過後に、前記釣銭の取り忘れを示す警報音を出力し、一方、前記視線検出部によって検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力する警報部とを備えることを特徴とする
【００１０】
また、本発明のセルフチェックアウト装置は、前記表示制御部が、前記視線検出部によって検出された視線の方向に設置された表示器に表示することが望ましい。
【００１１】
また、本発明のセルフチェックアウト装置は、前記表示器が、前記買い上げ商品を計量するための秤装置の近傍に設けられていることが望ましい。
【００１２】
また、本発明のセルフチェックアウト装置は、前記表示器が、前記買い上げ商品の決済に関わるレシートを排出するレシート排出口の近傍に設けられていることが望ましい。
【００１３】
また、本発明のセルフチェックアウト装置は、前記表示器が、複数個設けられていることが望ましい。
【００１４】
また、本発明の一態様によれば、本発明のセルフチェックアウト方法は、買物客の操作により買上げ商品の販売登録処理及びその代金の精算処理を行うセルフチェックアウト装置において実行されるセルフチェックアウト方法であって、入金された現金の受入金額から売上商品の請求金額を差し引いた釣銭を紙幣出金口又は硬貨出金口へ出金し、前記買物客の視線を検出し、前記検出された視線が、前記紙幣出金口又は硬貨出金口に向いていない場合、釣銭があることを示す情報を所定の表示器に表示し、前記出金された釣銭が前記紙幣出金口又は硬貨出金口から取り除かれたか否かを検出し、前記釣銭が取り除かれたことが検出されなかった場合、前記検出された視線が前記紙幣出金口又は硬貨出金口に向いていれば、前記釣銭を出金してから第１の時間経過後に、前記釣銭の取り忘れを示す警報音を出力し、一方、前記検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力することを特徴とする。
【００１５】
また、本発明の一態様によれば、本発明のセルフチェックアウトプログラムは、買物客の操作により買上げ商品の販売登録処理及びその代金の精算処理を行うセルフチェックアウト装置におけるセルフチェックアウトプログラムであって、前記セルフチェックアウト装置のコンピュータを、入金された現金の受入金額から売上商品の請求金額を差し引いた釣銭を紙幣出金口又は硬貨出金口へ出金する釣銭出金手段と、前記買物客の視線を検出する視線検出手段と、前記視線検出手段によって検出された視線が、前記紙幣出金口又は硬貨出金口に向いていない場合、釣銭があることを示す情報を所定の表示器に表示する表示制御手段と、前記釣銭出金手段によって出金された釣銭が前記紙幣出金口又は硬貨出金口から取り除かれたか否かを検出する釣銭検出手段と、前記釣銭検出部によって釣銭が取り除かれたことが検出されなかった場合、前記視線検出手段によって検出された視線が前記紙幣出金口又は硬貨出金口に向いていれば、前記釣銭を出金してから第１の時間経過後に、前記釣銭の取り忘れを示す警報音を出力し、一方、前記視線検出手段によって検出された視線が前記紙幣出金口又は硬貨出金口に向いていなければ、前記釣銭があることを示す情報が前記表示器に表示された後、前記釣銭を出金してから前記第１の時間よりも短い第２の時間経過後に、前記警報音を出力する警報手段として機能させるためのセルフチェックアウトプログラムである。
【発明の効果】
【００１６】
本発明によれば、より確実に釣銭の取り忘れを防止することができる、という効果を奏する。
【図面の簡単な説明】
【００１７】
【図１】本実施の形態のセルフチェックアウト装置の外観を示す図である。
【図２】本実施の形態のセルフチェックアウト装置のハードウェア構成図である。
【図３】本実施の形態のセルフチェックアウト装置の機能ブロック図である。
【図４】表示操作部に表示される画面例（その１）を示す図である。
【図５】本実施の形態のセルフチェックアウト処理の流れを示すフローチャートである。
【図６】表示操作部に表示される画面例（その２）を示す図である。
【図７】表示操作部に表示される画面例（その３）を示す図である。
【図８】表示操作部に表示される画面例（その４）を示す図である。
【図９】表示操作部に表示される画面例（その５）を示す図である。
【図１０】表示器に表示される画面例を示す図である。
【発明を実施するための形態】
【００１８】
以下、本発明の実施の形態について、図面を参照しながら詳細に説明する。
図１は、本実施の形態のセルフチェックアウト装置の外観を示す図である。
【００１９】
セルフチェックアウト装置１０は、買物客が行う操作により買上げ商品の販売登録処理及びその代金の精算処理を実行する。図１において、セルフチェックアウト装置１０は、視線検出用カメラ１０１、表示操作部１０２、磁気カードリーダ１０３、電子マネーリーダライタ１０４、ポイントカードリーダライタ１０５、バーコードスキャナ１０６、スピーカ１０７、レシート発行用プリンタ１０８、紙幣投入口１０９、紙幣出金口１１０、硬貨投入口１１１、硬貨出金口１１２、商品仮置き台１１３、合計重量計量用秤１１４、レジ袋懸吊部１１５及び表示器１１６を備えている。
【００２０】
視線検出用カメラ１０１は、セルフチェックアウト装置１０の筐体上側に配設されており、買物客の顔を撮影した顔画像データを取得する。なお、視線検出用カメラ１０１の配設位置は、セルフチェックアウト装置１０の筐体上側に限らず、右側、左側又は下側でもよい。また、セルフチェックアウト装置１０の台数は複数でもよい。
【００２１】
表示操作部１０２は、バーコードスキャナ１０６で読み取ったバーコード情報に基づいて、商品名、商品単価、商品重量等の商品の精算に伴う商品情報を表示する。また、表示操作部１０２は、例えば、バーコードの付されていない商品を精算するための商品選択用の案内表示を行う。このとき、買物客は、表示操作部１０２の案内表示に従い、表面をタッチすることで選択操作を行うことができる。
【００２２】
磁気カードリーダ１０３は、クレジットカードの情報を読み取る。電子マネーリーダライタ１０４は、電子マネーカードの情報を読取り、又は情報の書き込みを行う。ポイントカードリーダライタ１０５は、ポイントカードの情報を読取り、又は情報の書き込みを行う。
【００２３】
バーコードスキャナ１０６は、商品に付されたバーコードを読み取る。
スピーカ１０７は、表示操作部１０２、磁気カードリーダ１０３、電子マネーリーダライタ１０４、ポイントカードリーダライタ１０５及びバーコードスキャナ１０６の操作音を出力する。また、スピーカ１０７は、クレジットカード、レシート、ポイントカード、釣銭の取り忘れを示す警報音を出力する。
【００２４】
レシート発行用プリンタ１０８は、精算金額や付与されたポイントを含む一取引の取引内容等を印字したレシートを発行する。
【００２５】
紙幣投入口１０９は、商品の代金の会計時に買物客により１枚ずつ、又は束状態の複数の紙幣を短手方向に投入可能に構成された開口部である。紙幣出金口１１０は、投入キャンセルされた紙幣、識別不能な紙幣、釣銭としての紙幣を出金するための開口部である。
【００２６】
硬貨投入口１１１は、商品の代金の会計時に買物客により１又は複数の硬貨を投入可能に構成された開口部である。硬貨出金口１１２は、投入キャンセルされた硬貨、識別不能な硬貨、釣銭としての硬貨を出金するための開口部である。
【００２７】
商品仮置き台１１３は、買物客が精算前の商品を入れた買物かごを載置する台である。合計重量計量用秤１１４は、精算対象として販売登録した商品の合計重量を計量する。レジ袋懸吊部１１５は、備え付けのレジ袋、買物客が持参したマイバッグ等を吊り下げ可能に構成される。
【００２８】
表示器１１６は、紙幣出金口１１０又は硬貨出金口１１２に出金された釣銭があることを示す情報を表示する。
【００２９】
このようなセルフチェックアウト装置１０を使用する買物客は、まず、精算前の商品を入れた買物かごを商品仮置き台１１３に載置する。そして、バーコードスキャナ１０６を用いて商品に付されたバーコードを読み取ることにより、その商品の販売登録作業を行う。精算対象として販売登録をした商品は、レジ袋懸吊部１１５に吊り下げたレジ袋等に納められ、合計重量計量用秤１１４により精算対象として販売登録した商品の合計重量が計量される。個別の商品の重量と、合計重量計量用秤１１４により計量した重量の増分との差が所定の許容範囲内にあれば、精算対象として販売登録した商品の精算を行う。
【００３０】
次に、買物かごに入れた商品の販売登録作業を終えた買物客は、磁気カードリーダ１０３へのクレジットカードの挿入、電子マネーリーダライタ１０４での電子マネーのスキャン、紙幣投入口１０９への紙幣投入、硬貨投入口１１１への硬貨投入により精算を行うことができる。そして、セルフチェックアウト装置１０は、釣銭が生じた場合、紙幣出金口１１０からの紙幣払い出しおよび硬貨出金口１１２からの硬貨払い出しにより釣銭を払い出す。また、セルフチェックアウト装置１０は、取引内容等をレシート発行用プリンタ１０８で印字してレシートを発行する。
【００３１】
この際、セルフチェックアウト装置１０は、視線検出用カメラ１０１を用いて買物客の視線を検出し、紙幣出金口１１０又は硬貨出金口１１２に釣銭が出金された後の視線状態に応じて、釣銭の取り忘れを示す警報音の出力タイミングを変更する。例えば、釣銭の出金後、買物客の視線がレジ袋等に納められた商品に向いている場合は、従来のセルフチェックアウト装置に比較して早めに、警告音等により釣銭の取り忘れがあったことを通知（アラーム出力）する。また、釣銭の出金後、買物客の視線が紙幣出金口１１０又は硬貨出金口１１２に向いている場合は、警告音等による通知を一定期間行わず、その後買物客の視線がレジ袋等に納められた商品に向いた場合に警告音等による通知を行う。
【００３２】
図２は、本実施の形態のセルフチェックアウト装置のハードウェア構成図である。
図２において、セルフチェックアウト装置１０は、ＣＰＵ１１、メモリ１２、入出力Ｉ／Ｆ１３、外部記憶装置１４、可搬記録媒体駆動装置１５及びネットワーク装置１６を備える。ＣＰＵ１１、メモリ１２、入出力Ｉ／Ｆ１３、外部記憶装置１４、可搬記録媒体駆動装置１５及びネットワーク装置１６は、バス１７を介して互いに接続されている。
【００３３】
ＣＰＵ１１は、セルフチェックアウト装置１０の動作を制御する制御プログラムを実行することにより、セルフチェックアウト装置１０の全体を制御する。メモリ１２は、制御プログラムの実行の際に、外部記憶装置１４又は可搬記録媒体２０に記憶されている制御プログラムや、制御プログラムの実行に必要な情報を一時的に記憶するものである。メモリ１２は、例えば、ＲＡＭ（Random Access Memory）である。入出力Ｉ／Ｆ１３は、視線検出用カメラ１０１、表示操作部１０２、磁気カードリーダ１０３、電子マネーリーダライタ１０４、ポイントカードリーダライタ１０５、バーコードスキャナ１０６、スピーカ１０７、レシート発行用プリンタ１０８、合計重量計量用秤１１４及び表示器１１６との間のインターフェースである。外部記憶装置１４は、制御プログラムや制御プログラムの実行に必要な情報を不揮発的に記憶するものであり、例えば、ハードディスク装置である。可搬記録媒体駆動装置１５は、メモリデバイス、フレキシブルディスク、光ディスク、光磁気ディスク等の可搬記録媒体２０を収容するものである。可搬記録媒体２０は、外部記憶装置１４と同様に、制御プログラムや制御プログラムの実行に必要な情報を不揮発的に記憶するものである。ネットワーク装置１６は、ネットワーク３０を通じて不図示のＰＯＳサーバと通信するための装置である。
【００３４】
図３は、本実施の形態のセルフチェックアウト装置の機能ブロック図である。
図３において、セルフチェックアウト装置１０は、釣銭出金部３０１、視線検出部３０２、表示制御部３０３、釣銭検出部３０４及び警報部３０５を備える。
【００３５】
釣銭出金部３０１は、紙幣投入口１０９又は硬貨投入口１１１から投入された紙幣又は硬貨を計数することにより入金された現金の受入金額から、バーコードスキャナ１０６を用いて販売登録作業を終えた売上商品の請求金額を差し引いた釣銭を出金する。
【００３６】
視線検出部３０２は、視線検出用カメラ１０１によって取得した買物客の顔を撮影した顔画像データに基づいて、買物客の視線を検出する。例えば、顔画像データから抽出した買物客の眼の画像を解析することにより光源の角膜反射像及び瞳孔を検出し、角膜反射像と瞳孔の位置の差に基づいて買物客の視線方向を検出する。
【００３７】
表示制御部３０３は、視線検出部３０２によって検出された視線が、釣銭出金部３０１によって出金される紙幣出金口１１０又は硬貨出金口１１２に向いていない場合、釣銭があることを示す情報を所定の表示器１１６に表示する。好ましくは、視線検出部３０２によって検出された視線の方向に設置された表示器１１６に表示する。例えば、表示器１１６は、買い上げ商品を計量するための合計重量計量用秤１１４の近傍に設けられている。若しくは、表示器１１６は、買い上げ商品の決済に関わるレシートを排出するレシート発行用プリンタ１０８のレシート排出口の近傍に設けられている。又は、表示器１１６は、複数個設けられていてもよい。釣銭があることを示す情報としては、メッセージを表示しても良いし、点滅表示でも良い。
【００３８】
釣銭検出部３０４は、釣銭出金部３０１によって出金された釣銭が紙幣出金口１１０又は硬貨出金口１１２から取り除かれたか否かを検出する。例えば、釣銭検出センサーを用いて、紙幣出金口１１０に出金された紙幣、又は硬貨出金口１１２に出金された硬貨が残っているか否かを検出する。
【００３９】
警報部３０５は、釣銭があることを示す情報が表示器１１６に表示された後、釣銭検出部３０４によって釣銭が取り除かれたことを検出されなかった場合、釣銭の取り忘れを示す警報音等をスピーカ１０７から出力（アラーム出力）する。
【００４０】
図４、図６、図７、図８、図９は、表示操作部に表示される画面例を示す図であり、図５は、本実施の形態のセルフチェックアウト処理の流れを示すフローチャートであり、図１０は、表示器に表示される画面例を示す図である。
【００４１】
これらの図４乃至図１０を用いて、上述のセルフチェックアウト装置１０が実行するセルフチェックアウト処理の流れを説明する。
【００４２】
セルフチェックアウト装置１０の表示操作部１０２には、図４に示すような初期画面が表示されている。セルフチェックアウト処理は、買物客が初期画面を手指でタッチすることにより開始される。すなわち、買物客が表示操作部１０２に表示されている初期画面の「商品登録」ボタンをタッチすることにより、セルフチェックアウト処理が開始される。
【００４３】
まず、セルフチェックアウト処理は、図５のステップＳ５０１において、商品の販売登録が終了したか否かを判断する。表示操作部１０２には、図６に示すような画面が表示されている。セルフチェックアウト装置１０は、例えば、図６の「￥  お支払」ボタンがタッチされたか否かを判断する。
【００４４】
販売登録が終了していないと判断された場合（ステップＳ５０１：ＮＯ）、すなわち、図６の「￥  お支払」ボタンが未だタッチされていない場合、買物客が商品仮置き台１１３に載置した買物かご内の商品を取り出し、バーコードスキャナ１０６を用いて商品に付されたバーコードを読み取らせる。これにより、ステップＳ５０２において、その商品が販売登録される。表示操作部１０２には、その時点で販売登録された商品の合計額（小計）が表示される。上述のステップＳ５０１乃至Ｓ５０２の処理は、買物かご内の全ての商品の販売登録が終了するまで繰り返される。
【００４５】
そして、販売登録が終了したと判断された場合（ステップＳ５０１：ＹＥＳ）、例えば、図６の「￥  お支払」ボタンがタッチされた場合、セルフチェックアウト装置１０は、例えば、図７に示すような画面を表示し、例えば、現金支払かクレジット支払かの選択を促す。そして、セルフチェックアウト装置１０は、ステップＳ５０３において、支払い手段が現金支払か否かが判断する。図７に示した画面例では、「現金」ボタンがタッチされたか「クレジット」ボタンがタッチされたかが判断される。
【００４６】
現金支払でないと判断された場合（ステップＳ５０３：ＮＯ）、図７に示した画面例では「クレジット」ボタンがタッチされた場合、ステップＳ５０４において、クレジットカードでの決済処理等の他処理を実行する。ここでは、説明は省略する。
【００４７】
他方、現金支払であると判断された場合（ステップＳ５０３：ＹＥＳ）、図７に示した画面例では「現金」ボタンがタッチされた場合、図８に示すような画面を表示操作部１０２に表示し、現金投入を促す。そして、セルフチェックアウト装置１０は、ステップＳ５０５において、現金投入が終了したか否かを判断する。すなわち、紙幣投入口１０９へ投入された紙幣と硬貨投入口１１１へ投入された硬貨の合計額が、ステップＳ５０２で精算された商品の合計額に達したか否かを判断する。投入された紙幣と硬貨の合計額が商品の合計額に達していない間（ステップＳ５０５：ＮＯ）は、例えば、紙幣又は硬貨が投入される度にステップＳ５０５の判断を行う。
【００４８】
そして、ステップＳ５０５で現金投入が終了したと判断された場合（ステップＳ５０５：ＹＥＳ）、ステップＳ５０６において、釣銭が発生したか否かを判断する。
【００４９】
釣銭が発生しなかったと判断された場合（ステップＳ５０６：ＮＯ）、レシート発行用プリンタ１０８が印字したレシートを発行して本実施の形態のセルフチェックアウト処理を終了する。
【００５０】
他方、釣銭が発生したと判断された場合（ステップＳ５０６：ＹＥＳ）、セルフチェックアウト装置１０は、図９に示すような画面を表示操作部１０２に表示する。そして、ステップＳ５０７において、釣銭出金部３０１によって釣銭を出金する。
【００５１】
次に、ステップＳ５０８において、ステップＳ５０７で釣銭出金部３０１によって出金された釣銭が紙幣出金口１１０又は硬貨出金口１１２に残っているか否かを釣銭検出部３０４によって判断する。すなわち、釣銭が紙幣出金口１１０及び硬貨出金口１１２から全額取り除かれたか否かを判断する。
【００５２】
釣銭が残っていないと判断された場合（ステップＳ５０８：ＮＯ）、レシート発行用プリンタ１０８が印字したレシートを発行して本実施の形態のセルフチェックアウト処理を終了する。
【００５３】
他方、釣銭が残っていると判断された場合（ステップＳ５０８：ＹＥＳ）、ステップＳ５０９において、買物客の視線が釣銭出金部３０１によって出金される紙幣出金口１１０又は硬貨出金口１１２に向いているか否かを判断する。買物客の視線は、視線検出用カメラ１０１が取得した買物客の顔画像データに基づいて、視線検出部３０２によって検出する。
【００５４】
買物客の視線が紙幣出金口１１０又は硬貨出金口１１２に向いていると判断された場合（ステップＳ５０９：ＹＥＳ）、ステップＳ５１０において、ステップＳ５０７で釣銭を出金してから一定時間（ｔ１）、例えば、５秒間経過したか否かを判断する。
【００５５】
出金してから一定時間（ｔ１）経過していないと判断された場合（ステップＳ５１０：ＮＯ）、ステップＳ５０８に戻る。
【００５６】
他方、出金してから一定時間（ｔ１）経過していると判断された場合（ステップＳ５１０：ＹＥＳ）、ステップＳ５１１において、釣銭の取り忘れがあったことをスピーカ１０７から警告音等により通知（アラーム出力）する。
【００５７】
また、買物客の視線が紙幣出金口１１０又は硬貨出金口１１２に向いていないとステップＳ５０９で判断された場合（ステップＳ５０９：ＮＯ）、ステップＳ５１２において、セルフチェックアウト装置１０は、図１０に示すような画面を表示器１１６に表示する。好ましくは、視線検出部３０２によって検出された視線の方向に設置された表示器１１６に表示する。例えば、表示器１１６は、買い上げ商品を計量するための合計重量計量用秤１１４の近傍に設けられている。若しくは、表示器１１６は、買い上げ商品の決済に関わるレシートを排出するレシート発行用プリンタ１０８のレシート排出口の近傍に設けられている。又は、表示器１１６は、複数個設けられていてもよい。釣銭があることを示す情報としては、図１０に示すようなメッセージを表示しても良いし、単なる点滅表示でも良い。
【００５８】
そして、セルフチェックアウト装置１０は、ステップＳ５１３において、ステップＳ５０７で釣銭を出金してから一定時間（ｔ２）経過したか否かを判断する。なお、一定時間ｔ２はステップＳ５１０で判断する一定時間ｔ１より短い時間（ｔ１＞ｔ２）である。例えば、セルフチェックアウト装置１０は、３秒間経過したか否かを判断する。
【００５９】
出金してから一定時間（ｔ２）経過していないと判断された場合（ステップＳ５１３：ＮＯ）、ステップＳ５０８に戻る。
【００６０】
他方、出金してから一定時間（ｔ２）経過していると判断された場合（ステップＳ５１３：ＹＥＳ）、セルフチェックアウト装置１０は、ステップＳ５１１において、釣銭の取り忘れがあったことをスピーカ１０７から警告音等により通知（アラーム出力）する。
以上、本発明の実施の形態について、図面を参照しながら詳細に説明した。
【００６１】
上述したように、セルフチェックアウト装置１０は、視線検出用カメラ１０１で買物客の視線を検出する。そして、釣銭を出金した際、検出した買物客の視線が紙幣出金口１１０や硬貨出金口１１２ではなく、合計重量計量用秤１１４へ向いている場合は、その近傍の表示器１１６に釣銭がある旨のメッセージ表示や点滅表示を行う。それでも買物客の視線が紙幣出金口１１０や硬貨出金口１１２に向かず、釣銭が取られていない場合は、釣銭の取り忘れがあったと判断し、スピーカ１０７から警告音等による通知を行う。なお、表示器１１６の設置場所は、合計重量計量用秤１１４の近傍に限定せず、紙幣出金口１１０や硬貨出金口１１２以外のエリアでも良い。すなわち、買物客の視線の動きに応じて、その視線の先のエリア用の表示器１１６に釣銭がある旨のメッセージ表示や点滅表示を行うようにすると、より確実に釣銭の取り忘れを防止する効果が高くなる。
【００６２】
さらに、買物客毎に視線情報を蓄積して買物客の視線の片寄（クセ）を判定し、セルフチェックアウト装置１０から出力される釣銭、レシート、クーポン券、クレジットカード、ポイントカード等の出力順番を変えることにより、釣銭を含む様々な出力物の取り忘れを防止するという、さらなる効果がある。
【００６３】
上述したセルフチェックアウト装置１０、セルフチェックアウト装置１０が実行するセルフチェックアウト処理は、スーパーマーケット、コンビニエンスストア、ガソリンスタンド等に限らず、切符販売機を含む自動販売機等に適用することが出来る。
【００６４】
以上、本発明の実施の形態を、図面を参照しながら説明してきたが、上述してきた本発明の実施の形態は、セルフチェックアウト装置の一機能としてハードウェアまたはＤＳＰ（Digital Signal Processor）ボードやＣＰＵボードでのファームウェアもしくはソフトウェアにより実現することができる。
【００６５】
また、本発明が適用されるセルフチェックアウト装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００６６】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、セルフチェックアウト装置に供給し、そのセルフチェックアウト装置のコンピュータがプログラムを読み出し実行することによっても、達成されることは言うまでもない。
【００６７】
この場合、可搬記録媒体等から読み出されたプログラム自体が本発明の新規な機能を実現することになり、そのプログラムを記録した可搬記録媒体等は本発明を構成することになる。
【００６８】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００６９】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７０】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００７１】
すなわち、本発明は、以上に述べた実施の形態に限定されるものではなく、本発明の要旨を逸脱しない範囲内で種々の構成または形状を取ることができる。
【符号の説明】
【００７２】
１０      セルフチェックアウト装置
１１      ＣＰＵ
１２      メモリ
１３      入出力Ｉ／Ｆ
１４      外部記憶装置
１５      可搬記録媒体駆動装置
１６      ネットワーク装置
１７      バス
２０      可搬記録媒体
３０      ネットワーク
１０１    視線検出用カメラ
１０２    表示操作部
１０３    磁気カードリーダ
１０４    電子マネーリーダライタ
１０５    ポイントカードリーダライタ
１０６    バーコードスキャナ
１０７    スピーカ
１０８    レシート発行用プリンタ
１０９    紙幣投入口
１１０    紙幣出金口
１１１    硬貨投入口
１１２    硬貨出金口
１１３    商品仮置き台
１１４    合計重量計量用秤
１１５    レジ袋懸吊部
１１６    表示器
３０１    釣銭出金部
３０２    視線検出部
３０３    表示制御部
３０４    釣銭検出部
３０５    警報部
【図１】
0006397366.tif 000002
【図２】
0006397366.tif 000003
【図３】
0006397366.tif 000004
【図４】
0006397366.tif 000005
【図５】
0006397366.tif 000006
【図６】
0006397366.tif 000007
【図７】
0006397366.tif 000008
【図８】
0006397366.tif 000009
【図９】
0006397366.tif 000010
【図１０】
0006397366.tif 000011